(57)【要約】【課題】水流の屈曲による損失を小さくし、上流部等への背水の影響を少なくするようにしたスクリーン循環式除塵機を提供すること。【解決手段】無端状スクリーン１を構成するスクリーンプレート３を、その流入側が水路Ｓの上流側に傾斜するよう斜めに配列するとともに、スクリーン１の下流側で水流を遮る背面板５を、幅方向略中央部が上流側に突出する山形に形成する。【選択図】図１
2008106445.tif 000002
【特許請求の範囲】
【請求項１】
無端状スクリーンを水路と略平行に、かつスクリーンの下部が水路水面下に没するように張架配設するとともに、この無端状スクリーンを回転駆動し、スクリーンにて捕捉した夾雑物を除去するようにしたスクリーン循環式除塵機において、スクリーンを構成するスクリーンプレートを、その流入側が水路の上流側に傾斜するよう斜めに配列したことを特徴とするスクリーン循環式除塵機。
【請求項２】
スクリーンの下流側で水流を遮る背面板を、幅方向略中央部が上流側に突出する山形に形成したことを特徴とする請求項１記載のスクリーン循環式除塵機。
【発明の詳細な説明】
【技術分野】
【０００１】
本発明は、下水処理及び河川排水処理において使用されるスクリーン循環式除塵機に関し、特に、水流の屈曲による損失を小さくし、上流部等への背水の影響を少なくするようにしたスクリーン循環式除塵機に関するものである。
【背景技術】
【０００２】
スクリーン循環式除塵機は、例えば、図３に示すように、無端状スクリーン１を水路Ｓと平行に、かつスクリーン１の下部が水路水面下に没するように張架配設するとともに、この無端状スクリーン１を回転駆動し、水上にてスクリーン１の外側から加圧水を噴霧することにより、捕捉した夾雑物をスクリーン１から脱荷し、シュート４に回収するようにしている。
【０００３】
ところで、スクリーン循環式除塵機は、水路と平行にスクリーンを設置することから、スクリーン長さが水路幅に制限されないという利点がある。
また、このスクリーン循環式除塵機は、水の通水面が左右及び下面の３面で確保できることから、ろ過水量が大きいという利点もある。
【０００４】
しかしながら、このスクリーン循環式除塵機は、水路の水流と直角になるようにスクリーンが設置されるため、一般的なバースクリーン式のスクリーンと比較し、同じ通水面積で考えた場合、その損失水頭は大きくなるといえる。
【０００５】
スクリーン循環式除塵機の損失水頭は、入口部の断面急縮による損失、スクリーン面通過時の屈曲と通過による損失、及び出口部の断面急拡による損失の３つに大きく分けられる。
この中で、スクリーン通過時の屈曲による損失は、図４に示すように、スクリーン１の上流側と下流側とで水の流れが２度に亘って約９０度変化するため、その損失は大きいものとなる。
【０００６】
このように、スクリーン循環式除塵機は、損失水頭が大きくなることが一般的であることから、その設置に際しては、上流部等への背水の影響を検討する必要があり、場合によってはその設置が不可能となることがある。
【発明の開示】
【発明が解決しようとする課題】
【０００７】
本発明は、上記従来のスクリーン循環式除塵機が有する問題点に鑑み、水流の屈曲による損失を小さくし、上流部等への背水の影響を少なくするようにしたスクリーン循環式除塵機を提供することを目的とする。
【課題を解決するための手段】
【０００８】
上記目的を達成するため、本発明のスクリーン循環式除塵機は、無端状スクリーンを水路と略平行に、かつスクリーンの下部が水路水面下に没するように張架配設するとともに、この無端状スクリーンを回転駆動し、スクリーンにて捕捉した夾雑物を除去するようにしたスクリーン循環式除塵機において、スクリーンを構成するスクリーンプレートを、その流入側が水路の上流側に傾斜するよう斜めに配列したことを特徴とする。
【０００９】
この場合において、スクリーンの下流側で水流を遮る背面板を、幅方向略中央部が上流側に突出する山形に形成することができる。
【発明の効果】
【００１０】
本発明のスクリーン循環式除塵機によれば、無端状スクリーンを水路と略平行に、かつスクリーンの下部が水路水面下に没するように張架配設するとともに、この無端状スクリーンを回転駆動し、スクリーンにて捕捉した夾雑物を除去するようにしたスクリーン循環式除塵機において、スクリーンを構成するスクリーンプレートを、その流入側が水路の上流側に傾斜するよう斜めに配列することから、スクリーンプレートの向きを水流の方向に近づけて、水流の屈曲による損失水頭を小さくすることができ、これにより、上流部等への背水の影響が問題であった箇所へもスクリーン循環式除塵機を設置することができる。
【００１１】
この場合、スクリーンの下流側で水流を遮る背面板を、幅方向略中央部が上流側に突出する山形に形成することにより、水流を左右斜め方向に振り分けて、スクリーンプレートと略平行となし、水流の屈曲による損失水頭を設備全体でさらに小さくすることができる。
【発明を実施するための最良の形態】
【００１２】
以下、本発明のスクリーン循環式除塵機の実施の形態を、図面に基づいて説明する。
【実施例１】
【００１３】
図１〜図３に、本発明のスクリーン循環式除塵機の一実施例を示す。
このスクリーン循環式除塵機は、無端状スクリーン１を水路Ｓと平行に、かつスクリーン１の下部が水路水面下に没するように張架配設するとともに、この無端状スクリーン１を回転駆動し、水上にてスクリーン１の外側からノズル２で加圧水を噴霧することにより、捕捉した夾雑物をスクリーン１から脱荷し、シュート４に回収するようにしている。
そして、このスクリーン循環式除塵機は、無端状スクリーン１を構成するスクリーンプレート３を、その流入側が水路Ｓの上流側に傾斜するよう斜めに配列するとともに、スクリーン１の下流側で水流を遮る背面板５を、幅方向略中央部が上流側に突出する山形に形成している。
【００１４】
スクリーン１は、例えば、図２〜図３に示すように、多数のスクリーンプレート３を櫛歯状に並設することによりスクリーンパネル６を形成し、このスクリーンパネル６をリンクすることにより無端状のスクリーン１を形成している。
スクリーン１を構成する各スクリーンプレート３は、その流入側が水路Ｓ内で上流側に傾斜するように、本実施例では、水路Ｓの方向に対して約４５度の角度をもってスクリーンパネル６に斜めに配列されている。
なお、スクリーン１は、スプロケット７１によりレール７２に沿って駆動するコンベアチェーン７によって循環させている。また、スクリーンプレート３の内側に突設した爪により大きめの夾雑物も上まで掻き揚げることが可能である。
【００１５】
また、スクリーンプレート３は、図２に示すように、その両端部が、互いに対向して配設されたプレート支持枠６１の間に掛け渡すようにして、斜めに形成したスリット６２に挿入掛止されている。
これにより、複数枚のスクリーンプレート３は所定の目幅間隔ｗに保持されるとともに、所定の角度で傾斜するよう配列した状態でプレート支持枠６１により一体化される。
また、プレート支持枠６１は、スクリーンプレート３をスリット６２に挿入した状態で外枠６３に挿入され、さらに、この外枠６３をサイド枠６４で連結することにより、スクリーンパネル６として組み立てられている。
なお、スクリーンプレート３の組立は、図２に示した組立方法のほか、溶接による方法、ボルト締結による方法等を採用することもできる。
【００１６】
一方、スクリーン循環式除塵機は、水路Ｓを整流板８で区画することにより、水路Ｓの水をスクリーン１の内部に導入するとともに、スクリーン１の奥に、水流を遮る背面板５を配設することにより、導入した水がスクリーン１を通過するようにしている。
本実施例では、この背面板５を、水路Ｓ内で幅方向略中央部が上流側に突出する山形に形成している。
この場合、背面板５の高さ方向を含めた略中心を、上流側に突出する山形に形成することもでき、これにより、水流を左右斜め方向と下斜め方向とに振り分けて、左右及び下部のスクリーンプレート３と略平行にすることができる。
【００１７】
従来は、図４に示すように、スクリーン１の上流側と下流側とで水の流れが２度に亘って約９０度変化していたが、本実施例では、スクリーンプレート３を斜めに傾斜させるとともに、背面板５を山形に形成したことにより、図１に示すように、この流れの角度変化をそれぞれ半分程度に緩和し、損失係数を従来の約１．４から約０．２まで軽減することができた。
【００１８】
かくして、本実施例のスクリーン循環式除塵機は、無端状スクリーン１を水路Ｓと略平行に、かつスクリーン１の下部が水路水面下に没するように張架配設するとともに、この無端状スクリーン１を回転駆動し、スクリーン１にて捕捉した夾雑物を除去するようにしたスクリーン循環式除塵機において、スクリーン１を構成するスクリーンプレート３を、その流入側が水路Ｓの上流側に傾斜するよう斜めに配列することから、スクリーンプレート３の向きを水流の方向に近づけて、水流の屈曲による損失水頭を小さくすることができ、これにより、上流部等への背水の影響が問題であった箇所へもスクリーン循環式除塵機を設置することができる。
【００１９】
また、スクリーン１の下流側で水流を遮る背面板５を、幅方向略中央部が上流側に突出する山形に形成することにより、水流を左右斜め方向に振り分けて、スクリーンプレート３と略平行となし、水流の屈曲による損失水頭を設備全体でさらに小さくすることができる。
【００２０】
以上、本発明のスクリーン循環式除塵機について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００２１】
本発明のスクリーン循環式除塵機は、水流の屈曲による損失を小さくし、上流部等への背水の影響を少なくするという特性を有していることから、例えば、下水処理・浄水処理の除塵設備や河川用の除塵設備をはじめとして、一般産業・食品関連の除塵設備の用途にも好適に用いることができる。
【図面の簡単な説明】
【００２２】
【図１】本発明のスクリーン循環式除塵機の一実施例を示す断面平面図である。
【図２】同スクリーン循環式除塵機のスクリーンパネルを示す分解斜視図である。
【図３】スクリーン循環式除塵機の全体図である。
【図４】従来のスクリーン循環式除塵機を示す断面平面図である。
【符号の説明】
【００２３】
１    無端状スクリーン
２    ノズル
３    スクリーンプレート
４    シュート
５    背面板
６    スクリーンパネル
６１  プレート支持枠
６２  スリット
６３  外枠
６４  サイド枠
７    コンベアチェーン
７１  スプロケット
７２  レール
８    整流板
Ｓ    水路
【図１】
2008106445.tif 000003
【図２】
2008106445.tif 000004
【図３】
2008106445.tif 000005
【図４】
2008106445.tif 000006